(57)【要約】      （修正有）【課題】改良された先端形状を有するファイルを提供する。【解決手段】歯の根管を清掃し且つ整形するための歯科用器具は、３つの螺旋状の縦溝を有している加工部分１８と、第一、第二及び第三の面を備えたガイド先端とを備えている。ガイド先端の一部分は、第一及び第二の面の各々が、元の先端を規定している円錐形状の包絡面の横面に隣接しているが、第三の面の一部分は、円錐形状の包絡面の横面に隣接していないように、ガイド先端の一部分が除去されている。ガイド先端の当該除去された部分は、円弧形状の面、角度が付けられた面又はこれら２つの何らかの組み合わせをもたらす。【選択図】図１
2010012252.tif 000002
【特許請求の範囲】
【請求項１】
歯の根管を清掃し且つ整形するための歯科用器具であり、
テーパー部、中心回転軸線、間に螺旋状のランドを備えている複数の螺旋状の縦溝及びガイド先端を備えている縦長の本体からなり、
前記ガイド先端は複数の面を備えており、当該複数の面のうちの第一の面は、当該第一の面の頂点を共有している円錐形状の包絡面の横面に対して実質的に隣接して位置しており、前記複数の面のうちの第二の面の一部分は、前記円錐形状の包絡面の横面に対して隣接せずに配置されており、
前記第一と第二の面とは、互いに交差して前記ガイド先端の頂点にガイド用の尖った部分を形成しており、前記ガイド先端は前記中心回転軸線と同軸とされている、歯科用器具。
【請求項２】
請求項１に記載の歯科用器具であり、
半径“ｒ”によって規定されている前記第二の面の一部分を更に備えている歯科用器具。
【請求項３】
請求項１に記載の歯科用器具であり、
角度“α”によって規定されている前記第二の面の一部分を更に備えている歯科用器具。
【請求項４】
請求項３に記載の歯科用器具であり、
第二の角度“β”によって規定されている前記第二の面の一部分を更に備えている歯科用器具。
【請求項５】
歯の根管を清掃し且つ整形するための歯科用器具であり、
テーパー部、中心回転軸線、間に螺旋状のランドを備えているほぼ対称的な複数の螺旋状の縦溝及びガイド先端を備えている縦長の本体からなり、
前記ガイド先端は、複数の面を備えており、更に、前記中心回転軸線と同軸の円錐形状の包絡面によって規定されており、
当該複数の面のうちの第一の面は、前記円錐形状の包絡面の横面に対して実質的に隣接して位置しており、前記複数の面のうちの第二の面の一部分は、前記円錐形状の包絡面の横面に対して隣接せずに位置しており、
前記第一及び第二の面は、互いに交差して前記ガイド先端の頂点にガイド用の尖った部分を形成しており、前記ガイド先端は前記中心回転軸線と同軸とされている、歯科用器具。
【請求項６】
請求項５に記載の歯科用器具であり、
半径“ｒ”によって規定されている前記第二の面の一部分を更に備えている歯科用器具。
【請求項７】
請求項５に記載の歯科用器具であり、
角度“α”によって規定されている前記第二の面の一部分を更に備えている歯科用器具。
【請求項８】
請求項７に記載の歯科用器具であり、
第二の角度“β”によって規定されている前記第二の面の一部分を更に備えている歯科用器具。
【請求項９】
歯の根管を清掃し且つ整形するための歯科用器具であり、
テーパー部、中心回転軸線、間に螺旋状のランドを備えているほぼ対称的な３つの実質的に対称的な螺旋状の縦溝及びガイド先端を備えている縦長の本体からなり、
前記ガイド先端は、第一、第二及び第三の面を備えており、更に、当該ガイド先端は、前記中心回転軸線と同軸の円錐形状の包絡面によって規定されており、
前記第一及び第二の面は、前記円錐形状の包絡面の横面に対して実質的に隣接して位置しており、前記第三の面の一部分は、前記円錐形状の包絡面の横面に対して隣接せずに位置しており、
前記の面は、互いに交差して前記ガイド先端の頂点にガイド用の尖った部分を形成しており、前記ガイド先端は前記中心回転軸線と同軸とされている、歯科用器具。
【請求項１０】
請求項９に記載の歯科用器具であり、
半径“ｒ”によって規定されている前記第三の面の一部分を更に備えている歯科用器具。
【請求項１１】
請求項９に記載の歯科用器具であり、
角度“α”によって規定されている前記第三の面の一部分を更に備えている歯科用器具。
【請求項１２】
請求項１１に記載の歯科用器具であり、
第二の角度“β”によって規定されている前記第三の面の一部分を更に備えている歯科用器具。
【発明の詳細な説明】
【技術分野】
【０００１】
本発明は、概して歯科学の分野に関し、より特別には、人間の歯の根管内に存在する物質を取り除き且つ充填材を収容できるように整えるために根管を拡げ且つ整形する際に使用される歯内ファイル（ヤスリ）又はリーマーに関する。
【発明の背景】
【０００２】
患者の歯の根管を清掃し、整形し、充填する処置は、比較的一般的であるが難しい処置である。典型的な根管処置の実施においては、最初に、歯の歯冠又は露出した部分に穴が開けられる。歯冠に開けられた穴は、歯の内部へのアクセス、特に、歯の根管へのアクセスを提供する。歯を治療するために、根管は、膿瘍のできた歯の場合には典型的には感染している歯髄物質を完全に除去しなければならない。医師は、感染を軽減するために、この歯随物質を除去しなければならない。医師は次いで、ガッタパーチャのような充填材を効率良く充填することができるように根管を清掃し且つ整形しなければならない。
【０００３】
歯の根管の効率の良いクリーニング、整形及び充填のために必要とされる器具に対して多くの研究がなされて来た。このような器具のうちの一つである歯内ファイルは、根管内へ挿入することができ且つ根管を清掃し且つ整形するために、手動によって又は機械によって操作される細長い器具である。ファイルは、歯の内部から歯髄物質を取り除き且つ充填材を比較的効率良く充填することができるように、根管を拡げ且つ整形する。
【０００４】
根管の経路は、その幾何学的構造及び解剖学的形態が変化するので、医師は、根管の標本形状、長さ及び幅を正確に制御するために適切なファイルを選ばなければならない。しかしながら、従来技術による歯内ファイルは、一般的に、ファイルの断面積と比較して比較的大きな接触面積と係合する表面を有している先端形状を有している。当該先端の大きな接触面積は、抵抗を不必要に生じさせ、これはファイルを破壊させるかも知れない。ファイルが回転されて根管内へ入るとき、ファイルのこの大きな接触面積は種々の表面の凹凸及び突出部に遭遇するので、ファイルの前進が妨げられる。切削又は掻き取りの殆ど全てがファイルの外周で生じるので、これらの表面を著しく小さくし、しかも依然として根管の所望の形状をもたらすファイルを提供しても良い。従って、断面積が小さな表面接触領域を有する先端形状を備えたファイルの必要性がある。
【発明の概要】
【発明が解決すべき課題】
【０００５】
本発明の目的は、改良された先端形状を有するファイルを提供することである。
【課題を解決するための手段】
【０００６】
歯の根管を拡げるための歯科用器具は、中心回転軸線を有する細長い本体と、３つの螺旋状の縦溝と、小さな接触面積を有するガイド先端とを有している。好ましい実施形態においては、ガイド先端は、前記細長い本体と同軸の円錐形の包絡面によって形成されており且つ３つの面を有している。第一及び第二の面の各々は、当該円錐形状の包絡面の対向している横面に実質的に隣接して位置している。
【０００７】
ガイド先端の一部分が取り除かれ、第三の面の一部分が前記円錐形状の包絡面の対向している横面と隣接しないようになされている。当該ガイド先端の除去された部分は、前記第三の面に円弧形状の外径を付与するために、半径“ｒ”によって規定することができる。半径“ｒ”は、ガイド先端の頂点を中心合わせされた状態に維持するために、ファイルの中心長手軸線を通り過ぎて伸長すべきでない。別の好ましい実施形態においては、当該ガイド先端の除去された部分は、角度“α”によって規定されている。更に別の実施形態においては、当該ガイド先端の除去された部分は、角度“β”によって更に規定されている。
【０００８】
当該歯科用器具はまた、複数の螺旋形状の縦溝と、複数の表面であって、そのうちの少なくとも１つが小さな接触面積を有しているガイド先端とを備えていても良い。小さな接触面積を有する面は、半径“ｒ”、角度“α”、角度“β”又は半径“ｒ”と角度“α”及び“β”の何らかの組み合わせによって規定することができる。小さな接触面積を有する表面の一部分は、先端を規定している円錐形状の外径の対向横面に隣接して位置していない。しかしながら、他の面のうちの一部分は前記包絡面に隣接したままである。先端を規定している円錐形状の包絡面は、当該器具の中心長手軸線と同軸であり、従って、面の少なくとも１つの頂点を共有している。
【０００９】
添付図面と組み合わせてなされている好ましい実施形態の以下の詳細な説明及び特許請求の範囲によって、本発明のより良い理解が得られるであろう。
【図面の簡単な説明】
【００１０】
【図１】図１は、歯内治療医師が手動操作できる構造とされた歯内ファイルの図面である。当該ファイルは、その基端から末端までテーパーが付けられており且つ末端に先端部分を備えている。
【図２】図２は、歯内ファイルの先端部分の図である。当該先端の一つの面は、半径“ｒ”によって規定された除去された円弧形状部分を有している。
【図２Ａ】図２Ａは、図２の断面２Ａ−２Ａに沿った断面図である。当該先端は、当該先端の中心ガイド点を形成するために互いに交差している２つの三角形状面を備えている。当該２つの面の各々は、当該先端を規定している円錐形状の包絡面の対向する横面に隣接している。しかしながら、第三の面の円弧形状部分は、前記円錐形状の包絡面の対向横面と隣接していない。
【図３】図３は、図２のファイルの図２の断面線３−３に沿った図である。
【図４】図４は、前記先端の一つの面が他の２つの面よりも、当該ファイルの中心長手軸線に対してより鋭角な角度を有している歯内ファイルの図である。前記第一の面は、ファイルの中心長手軸線を通り過ぎて伸長していないので、３つの面が互いに交差して、先端の中心に単一のガイド点が形成されている。
【図５】図５は、楔形状部分が除去された先端を有している歯内ファイルの図である。
【図５Ａ】図５Ａは、図５の断面線５Ａ−５Ａに沿った図である。２つの非対称な三角形状面が互いに交差して、先端の中心に単一のガイド点が形成されている。
【発明の実施の形態】
【００１１】
以下、改良された先端形状を有している歯内ファイルの好ましい実施形態を、図面を参照して説明する。
図面、まず最初に図１を参照すると、歯内ファイル１０は、当該ファイルの基端１４に配置されたハンドル１２を備えており、細長い軸加工部分１８が基端１４と末端１６との間に配置されている。ハンドル１２は、典型的には、手動操作できる構造とされた小さなプラスチックのハンドル部分である。ハンドル１２は、ファイル１０と一体に形成され且つ機械的操作のためのチャック（図示せず）内に収納される構造とされたチャック棒（図示せず）と置き換えても良い。加工部分１８は、間に螺旋状のランド部分を有する３つの螺旋状の縦溝２２，２４，２６を備えている。ファイル１０は、末端１６の直径が基端と比較して小さくなるように、その全長に沿ってテーパーが付けられているのが好ましい。先端部分３０は末端１６に位置している。
【００１２】
図２〜３を参照すると、先端部分３０は、頂点がファイル１０の中心長手軸線２０と同軸に配置されている円錐形の包絡面によって規定されている。当該包絡面は、その全体が符号４０によって示されている。２つのほぼ同じ平らな三角形状の面３２，３６は、軸線２０に直角な線に対して角度“α”だけ傾斜が付けられている。各面３２，３６は、円錐形の包絡面４０の対向している横面にほぼ隣接して位置している。面３２及び３６と同様に、面３４の第一の部分は角度“α”だけ傾斜が付けられている。面３２及び３６とは異なり、面３４の一部分３８は、取り除かれて半径“ｒ”の円弧形状を有している面３４を形成している。好ましくは、除去された部分３８は、ファイル１０の中心長手軸線２０を通過して伸長していない。従って、面３４の円弧状部分は、もはや、先端３０を規定している円錐形状の包絡面４０の対向側面に隣接していない。面３４の除去されなかった部分に沿った面３２及び３６は、互いに交差して先端３０の頂点を形成している。面３２，３４，３６は、互いに交差して先端３０の頂点、従って、円錐形状の包絡面４０の頂点を形成している。
【００１３】
図４及び４Ａは、軸線２０に直角な線に対して角度“β”によって形成された面３４の一部分を有している面３４を示している。除去された部分３８は、ファイル１０の中心長手軸線２０を通り過ぎて伸長していないのが好ましい。角度“β”は、面３２及び３６の角度“α”よりも大きいのが好ましい。面３２及び３６は、ほぼ三角形のままであり且つ互いに交差して中心２０にガイド先端を形成している。各面３２，３６はまた、元の先端３０を規定している円錐形状の包絡面４０の対向する横面に隣接したままであるが、角度“β”によって規定されている面３４のうちのどの部分も、円錐形状の包絡面４０の対向する横面に隣接していない。
【００１４】
図５及び５Ａは、楔状に除去された部分３８を示している。除去された部分３８は、ファイル１０の中心長手軸線２０を通り過ぎて伸長していないのが好ましい。部分３８は、第一の角度“α”及び第二の角度“β”によって規定されている。面３６及び面３２の主要部分は、もはや、元の先端３０を規定している円錐形状の包絡面４０の対向する横面に隣接して位置していない。面３２の残りの部分は、その一般的な三角形状を維持しており且つ面３６と交差して先端３０の中心２０に尖った部分を形成している。各面３２及び３６は、元の先端３０を規定している円錐形状の包絡面４０の対向する横面に隣接している。
【００１５】
以上、ある程度特定して好ましい実施形態を説明したけれども、採用されている文体及び用語は、説明を目的としたものであって限定的ではない。本開示の精神及び範囲から逸脱することなく、構成要素の構造の細部及び配置に多くの変更を施すことができる。従って、本開示による歯内ファイル１０は、各構成要素に対する等価物の全範囲を含む特許請求の範囲によってのみ限定される。
【符号の説明】
【００１６】
１０  歯内ファイル、              ２４  第二の縦溝、
１２  ハンドル部分、              ２６  第三の縦溝、
１４  基端、                      ３０  先端部分、
１６  末端、                      ３２  第一の面、
１８  軸加工部分、                ３４  第二の面、
２０  中心長手軸線、              ３６  第三の面、
２２  第一の縦溝、                ３８  除去された部分、
４０  円錐形状の包絡面
【図１】
2010012252.tif 000003
【図２】
2010012252.tif 000004
【図２Ａ】
2010012252.tif 000005
【図３】
2010012252.tif 000006
【図４】
2010012252.tif 000007
【図５】
2010012252.tif 000008
【図５Ａ】
2010012252.tif 000009
【手続補正書】
【提出日】平成21年8月6日(2009.8.6)
【手続補正１】
【補正対象書類名】図面
【補正対象項目名】図５
【補正方法】変更
【補正の内容】
【図５】
2010012252.tif 000010
【外国語明細書】
2010012252000001.pdf